(57)【要約】【課題】カーテンを開けた収束状態において太陽光を遮る面積を低減可能にする。【解決手段】農業用ハウス３０は、外殻２０とカーテンシステム１０を備える。カーテンシステム１０は、外殻２０の長手方向に交差する断面において展開状態と収束状態との間で開閉可能である第１カーテン１１および第２カーテン１２を備える。第１カーテン１１は、第１固定端部１１１が外殻２０の中央部の定位置に留まり、第１可動端部１１２が外殻２０の中央部と第１の周部との間で移動可能である。第２カーテン１２は、第２固定端部１２１が外殻２０の中央部の定位置に留まり、第２可動端部１２２が外殻２０の中央部と第１の周部の反対側である第２の周部との間で移動可能である。第１カーテン１１が収束状態であり、かつ第２カーテン１２の収束状態である場合に、第１カーテン１１と第２カーテン１２とが上下に並ぶ。【選択図】図１
2017221119.tif 000002
【特許請求の範囲】
【請求項１】
圃場を囲むように配置される外殻と、
前記圃場の上方に配置される第１カーテンおよび第２カーテンを有したカーテンシステムとを備えており、
前記第１カーテンは、一方の端部である第１固定端部に対して他方の端部である第１可動端部が距離を変化させるように移動可能であり、
前記第２カーテンは、一方の端部である第２固定端部に対して他方の端部である第２可動端部が距離を変化させるように移動可能であって、
前記第１カーテンと前記第２カーテンとは、ともに展開状態であるときに、前記外殻の長手方向に交差する断面で異なる部位を覆い、ともに収束状態であるときに、前記外殻の長手方向に交差する断面で上下に並ぶように配置されている
ことを特徴とする農業用ハウス。
【請求項２】
前記外殻の長手方向に交差する断面において前記外殻の一方の側壁に向かって下り傾斜するように前記外殻を構成するフレームの２箇所間に架設されている第１ビームと、
前記外殻の長手方向に交差する断面において前記外殻の他方の側壁に向かって下り傾斜するように前記第１ビームと前記フレームとの間に架設されている第２ビームとをさらに備えており、
前記第１カーテンの前記第１可動端部は前記第１ビームに沿って移動可能であり、
前記第２カーテンの前記第２可動端部は前記第２ビームに沿って移動可能である
請求項１記載の農業用ハウス。
【請求項３】
前記第１カーテンの前記第１可動端部に取り付けられた第１可動バーと、
前記第２カーテンの前記第２可動端部に取り付けられた第２可動バーと、
前記第１可動バーを前記第１ビームに沿って移動させるように前記第１可動バーと結合されている第１駆動装置と、
前記第２可動バーを前記第２ビームに沿って移動させるように前記第２可動バーと結合されている第２駆動装置とをさらに備えている
請求項２記載の農業用ハウス。
【請求項４】
前記第１可動バーおよび前記第２可動バーのそれぞれは回転可能であって、
前記第１可動バーは、前記第１カーテンを巻き取る向きに回転することにより前記第１固定端部に近づく向きに移動する状態と、前記第１カーテンを巻き解く向きに回転することにより前記第１固定端部から離れる向きに移動する状態とが選択され、
前記第２可動バーは、前記第２カーテンを巻き取る向きに回転することにより前記第２固定端部に近づく向きに移動する状態と、前記第２カーテンを巻き解く向きに回転することにより前記第２固定端部から離れる向きに移動する状態とが選択される
請求項３記載の農業用ハウス。
【請求項５】
前記第１駆動装置および前記第２駆動装置のそれぞれは、
前記外殻に架設されたレールと、
前記レールに沿って走行するローラと、
動力源であるモータとを備えており、
前記第１駆動装置が備える前記モータは前記第１カーテンを前記展開状態と前記収束状態との間で開閉させ、
前記第２駆動装置が備える前記モータは前記第２カーテンを前記展開状態と前記収束状態との間で開閉させる
請求項３記載の農業用ハウス。
【請求項６】
前記第１駆動装置および前記第２駆動装置のそれぞれは、
前記外殻に架設されたレールと、
前記レールに沿って走行するローラと、
動力源であるモータとを備えており、
前記第１駆動装置は、前記モータの回転力を伝達するように前記第１可動バーに結合され、かつ下向き成分を含む荷重が前記第１可動バーから前記第１カーテンに作用するように前記レールが配置されており、
前記第２駆動装置は、前記モータの回転力を伝達するように前記第２可動バーに結合され、かつ下向き成分を含む荷重が前記第２可動バーから前記第２カーテンに作用するように前記レールが配置されている
請求項４記載の農業用ハウス。
【請求項７】
前記外殻は、前記長手方向に沿って配置されたガイドフレームを備え、
前記レールの一方の端部は、前記ガイドフレームに対して前記長手方向に移動可能となるように、前記ガイドフレームに取り付けられるスライダを備える
請求項６記載の農業用ハウス。
【請求項８】
前記外殻における前記第１の周部および前記第２の周部にそれぞれ配置された側カーテンをさらに備え、
前記側カーテンは、上端部である固定端部が前記外殻の定位置に留まり、下端部である可動端部が上下に移動可能である
請求項１〜７のいずれか１項に記載の農業用ハウス。
【請求項９】
圃場を囲むように配置される農業用ハウスの外殻に取り付けられ、前記圃場の上方に配置される第１カーテンおよび第２カーテンを有したカーテンシステムであって、
前記第１カーテンは、一方の端部である第１固定端部に対して他方の端部である第１可動端部が距離を変化させるように移動可能であり、
前記第２カーテンは、一方の端部である第２固定端部に対して他方の端部である第２可動端部が距離を変化させるように移動可能であって、
前記第１カーテンと前記第２カーテンとは、ともに展開状態であるときに、前記外殻の長手方向に交差する断面で異なる部位を覆い、ともに収束状態であるときに、前記外殻の長手方向に交差する断面で上下に並ぶように配置されている
ことを特徴とする農業用ハウスのカーテンシステム。
【発明の詳細な説明】
【技術分野】
【０００１】
本発明は、一般に、農業用ハウス、農業用ハウスのカーテンシステムに関し、さらに詳しくは、可動式のカーテンを備える農業用ハウス、および農業用ハウスのカーテンシステムに関する。
【背景技術】
【０００２】
従来、ビニールハウス（農業用ハウス）のカーテン開閉装置が提案されている（たとえば、特許文献１参照）。カーテンは、日中の保温、遮光、遮熱などを目的として設けられる。特許文献１には、ビニールハウスの片面ずつを、それぞれ１枚のカーテンで覆い、カーテンの下縁に沿って固着した巻き取り軸を回転させてカーテンを巻き上げるように構成したカーテン開閉装置が記載されている。すなわち、ビニールハウスには、片面ずつを覆う２枚のカーテンが設けられている。
【先行技術文献】
【特許文献】
【０００３】
【特許文献１】特開平１１−２９９３６５号公報
【発明の概要】
【発明が解決しようとする課題】
【０００４】
ところで、巻き取り軸を回転させてカーテンをビニールハウスの頂部まで巻き上げた状態では、巻き取り軸に巻き取られたカーテンが占める幅寸法は比較的大きい。また、カーテンをビニールハウスの頂部まで巻き上げた状態であっても、一般的には、カーテンの一部を巻き取り軸に巻き取らずに残していることが多い。すなわち、カーテンを巻き取り軸に巻き取った状態でも、ビニールハウスの頂部の比較的広い面積がカーテンで覆われる。
【０００５】
特許文献１に記載の構成では、２枚のカーテンが横に並び、ビニールハウスの頂部から片面ずつを、それぞれ１枚のカーテンが覆う。したがって、ビニールハウスに太陽光を取り込むためにカーテンを巻き取り軸に巻き取った状態（収束状態）において、１枚のカーテンを巻き取った状態の２倍の面積がカーテンで覆われる。そのため、ビニールハウスでの太陽光の利用率が十分とは言えない。
【０００６】
本発明は、カーテンを開けた収束状態において太陽光を遮る面積の低減を可能にした農業用ハウス、および農業用ハウスのカーテンシステムを提供することを目的とする。
【課題を解決するための手段】
【０００７】
本発明に係る農業用ハウスは、外殻とカーテンシステムとを備える。前記外殻は、圃場を囲むように配置される。前記カーテンシステムは、前記圃場の上方に配置される第１カーテンおよび第２カーテンを有する。前記第１カーテンは、一方の端部である第１固定端部に対して他方の端部である第１可動端部が距離を変化させるように移動可能である。前記第２カーテンは、一方の端部である第２固定端部に対して他方の端部である第２可動端部が距離を変化させるように移動可能である。前記第１カーテンと前記第２カーテンとは、ともに展開状態であるときに、前記外殻の長手方向に交差する断面で異なる部位を覆い、ともに収束状態であるときに、前記外殻の長手方向に交差する断面で上下に並ぶように配置されている。
【０００８】
本発明に係る農業用ハウスのカーテンシステムは、圃場を囲むように配置される農業用ハウスの外殻に取り付けられる。前記カーテンシステムは、前記圃場の上方に配置される第１カーテンおよび第２カーテンを有する。前記第１カーテンは、一方の端部である第１固定端部に対して他方の端部である第１可動端部が距離を変化させるように移動可能である。前記第２カーテンは、一方の端部である第２固定端部に対して他方の端部である第２可動端部が距離を変化させるように移動可能である。前記第１カーテンと前記第２カーテンとは、ともに展開状態であるときに、前記外殻の長手方向に交差する断面で異なる部位を覆い、ともに収束状態であるときに、前記外殻の長手方向に交差する断面で上下に並ぶように配置されている。
【発明の効果】
【０００９】
本発明の構成によれば、カーテンを開けた収束状態において太陽光を遮る面積の低減が可能になるという利点を有する。
【図面の簡単な説明】
【００１０】
【図１】図１は実施形態に係る農業用ハウスの外観を示す斜視図である。
【図２】図２は実施形態に係る農業用ハウスの概略断面図である。
【図３】図３は実施形態に係る農業用ハウスで用いるジョイントを示す斜視図である。
【図４】図４は実施形態に係る農業用ハウスで用いる第１駆動装置を示す斜視図である。
【図５】図５は実施形態に係る農業用ハウスで用いるガイドフレームとスライダとを示す斜視図である。
【図６】図６は実施形態に係る農業用ハウスで用いる操作装置とモータとの関係を示すブロック図である。
【図７】図７は実施形態に係る農業用ハウスで用いる保温シートを重ねた第１カーテンおよび第２カーテンを示す断面図である。
【図８】図８は実施形態に係る農業用ハウスで設備機器を配置した例を示す概略断面図である。
【発明を実施するための形態】
【００１１】
図１に示すように、以下に説明する農業用ハウス３０は、植物を栽培する圃場３１を囲むように配置される外殻２０と、外殻２０に取り付けられたカーテンシステム１０とを備えている。圃場３１で栽培する植物は、葉菜類、果菜類、豆類、果物、花卉などから選択可能である。葉菜類は、ホウレンソウ、コマツナ、レタス、キャベツ、ハクサイなどである。また、果菜類は、トマト、キュウリ、ナスなどである。
【００１２】
以下に説明する例では、栽培する植物としてホウレンソウを想定している。ホウレンソウは、露地では秋季と春季とに栽培されているが、農業用ハウス３０で栽培環境を調節することにより通年での栽培が可能である。通年で栽培する場合、日射を調節するためにカーテンシステム１０が必要である。
【００１３】
外殻２０は、地面に立てられる複数のフレーム２１と、フレーム２１が支持する被覆体２２とを備える。複数のフレーム２１それぞれは、図１に示す構成例では、地面に立てられる直線状の一対のサポート２１１と、一対のサポート２１１の上端同士を一体に連結する弧状のブリッジ２１２とによりアーチ状に形成されている。
【００１４】
フレーム２１は、金属製パイプで形成されている。金属は、表面処理が施されたアルミニウム、亜鉛被覆を有するスチールなどが選択される。複数のフレーム２１は、フレーム２１が囲む面にほぼ直交する方向に一列に並べて配置される。また、被覆体２２は、透明な合成樹脂フィルムであり、一列に並ぶ複数のフレーム２１を覆う。被覆体２２の一部には、窓に用いる開口、出入口に用いる開口などが設けられている。
【００１５】
上述した外殻２０は、サポート２１１に対応する一対の側壁２３と、ブリッジ２１２に対応する屋根２４と、一列に並ぶフレーム２１の両端に対応する一対の妻壁２５とを有している。窓に用いる開口は側壁２３に設けられ、出入口に用いる開口は妻壁に設けられている。外殻２０は、全体として複数のフレーム２１が一列に並ぶ方向に交差する断面において上に凸となる形状に形成される。なお、複数のフレーム２１は一列に並ぶ方向において互いに連結される。
【００１６】
外殻２０は、通常は、複数のフレーム２１が一列に並ぶ方向の寸法が、１つのフレーム２１を構成する一対のサポート２１１が並ぶ方向の寸法よりも大きい。したがって、以下では、複数のフレーム２１が並ぶ方向を外殻２０の長手方向と言う。すなわち、外殻２０は長手方向に直交する断面において上に凸となる形状に形成される。ブリッジ２１２は弧状に限らず、たとえば逆Ｖ字状に形成されていてもよい。また、被覆体２２は、透明であればガラスであってもよい。
【００１７】
カーテンシステム１０は、図２に示すように、外殻２０の内部空間に配置される。カーテンシステム１０は、第１カーテン１１と第２カーテン１２とを備える。第１カーテン１１と第２カーテン１２とは、外殻２０の長手方向に交差する断面において、屋根２４のほぼ半分ずつの領域を覆うように配置される。また、第１カーテン１１および第２カーテン１２は、合成樹脂のフィルムあるいは網であって、太陽光を減衰させる機能を有する。第１カーテン１１および第２カーテン１２の透光率は、たとえば６５％以上７５％以下に設定される。なお、透光率は、さらに小さく設定されていてもよい。第１カーテン１１および第２カーテン１２を形成する材料は、たとえばポリオレフィンが選択される。
【００１８】
外殻２０の長手方向に交差する断面において、第１カーテン１１の一方の端部である第１固定端部１１１は外殻２０の中央部の定位置に固定され、他方の端部である第１可動端部１１２は外殻２０の中央部と第１の周部との間で移動可能に配置される。また、外殻２０の長手方向に交差する断面において、第２カーテン１２の一方の端部である第２固定端部１２１は外殻２０の中央部の定位置に固定され、他方の端部である第２可動端部１２２は外殻２０の中央部と第２の周部との間で移動可能に配置される。
【００１９】
第１の周部と第２の周部とは、外殻２０の長手方向に交差する断面において、外殻２０の中央部に対して互いに反対側の周部を意味する。言い換えると、外殻２０の長手方向に交差する断面における外殻２０の中央部は外殻２０における屋根２４の頂部付近であり、周部は外殻２０において側壁２３と屋根２４との境界付近である。なお、屋根２４の頂部は、外殻２０において高さがほぼ最大になる部位を意味している。以下では、右と左との用語を、図２における右と左とに対応させる。また、図２における右側の側壁２３を右側壁２３１と呼び、左側の側壁２３を左側壁２３２と呼ぶ。
【００２０】
カーテンシステム１０は、フレーム２１の２箇所間に架設された第１ビーム１３と、第１ビーム１３とフレーム２１との間に架設された第２ビーム１４とを備えている。すなわち、第１ビーム１３は、１本のフレーム２１において、右側壁２３１の上端付近と屋根２４の頂部より左側の部位との間に架設される。また、第２ビーム１４は、同じフレーム２１における左側壁２３２の上端付近と第１ビーム１３の中間部との間に架設される。第１ビーム１３と第２ビーム１４とは、フレーム２１と同様に金属製パイプで形成されており、複数のフレーム２１それぞれに対応するように設けられている。ただし、第１ビーム１３および第２ビーム１４がフレーム２１と一対一に対応していることは必須ではない。
【００２１】
第１ビーム１３をフレーム２１に取り付ける部分には、たとえば図３に示すように、ジョイント１９が用いられる。ジョイント１９は、フレーム２１に巻き付く第１グリップ１９１と、第１ビーム１３の一端部が差し込まれる第２グリップ１９２とを備える。第１グリップ１９１と第２グリップ１９２とは、ボルトおよびナットを用いた連結具１９３により首振り可能に結合される。また、連結具１９３は、第１グリップ１９１がフレーム２１を締め付ける力を調節する。第２グリップ１９２は、ボルトおよびナットを用いた締め具１９４によって、第２グリップ１９２が第１ビーム１３を締め付ける程度を調節する。
【００２２】
上述した構成のジョイント１９を用いることにより、第１ビーム１３がフレーム２１に取り付けられる。第１ビーム１３に第２ビーム１４を取り付ける部分にも、第１ビーム１３をフレーム２１に取り付ける部分と同様に、ジョイント１９が用いられる。
【００２３】
外殻２０の長手方向に交差する断面において、第１ビーム１３は屋根２４の頂部付近から右側壁２３１に向かって下り傾斜するように配置され、第２ビーム１４は屋根２４の頂部付近から左側壁２３２に向かって下り傾斜するように配置される。第１ビーム１３と第２ビーム１４とは、水平面に対する角度がほぼ等しくなるように配置される。また、第１ビーム１３の下端と第２ビーム１４の下端とは、ほぼ同じ高さ位置でフレーム２１に取り付けられる。さらに、第２ビーム１４が第１ビーム１３に取り付けられる部位は、屋根２４の頂部の直下付近（ないし直下より右寄り）であることが望ましい。
【００２４】
上述した位置関係は必須ではないが、上述した位置関係を制約条件とすれば、農業用ハウス３０を現場で組み立てる作業が容易になる。すなわち、第１ビーム１３と第２ビーム１４との下端を同じ高さとして、フレーム２１に取り付ける位置を定めておき、第１ビーム１３および第２ビーム１４それぞれの長さ寸法を一定寸法に定めておけば、第１ビーム１３および第２ビーム１４の上端の位置が自動的に決まる。また、第１ビーム１３と第２ビーム１４との水平面に対する傾斜角度はほぼ等しくなる。
【００２５】
第１ビーム１３および第２ビーム１４の水平面に対する傾斜角度は、第１ビーム１３および第２ビーム１４の下端の位置と、第１ビーム１３および第２ビーム１４の長さ寸法とによって定まる。農業用ハウス３０を組み立てた状態で第２ビーム１４が第１ビーム１３に取り付けられた部位の左側には、第１カーテン１１の第１固定端部１１１と、第２カーテン１２の第２固定端部１２１が設けられる。すなわち、第２ビーム１４が屋根２４の頂部の直下付近で第１ビーム１３に取り付けられている場合に、外殻２０の長手方向に交差する断面において、第１固定端部１１１および第２固定端部１２１は、屋根２４の頂部の直下より左側に位置する。
【００２６】
第１カーテン１１の第１固定端部１１１は複数の第１ビーム１３に跨がって固定される第１取付バー１５に取り付けられ、第２カーテン１２の第２固定端部１２１は複数の第２ビーム１４に跨がって固定される第２取付バー１６に取り付けられる。第１取付バー１５は第２取付バー１６よりも左側に位置する。そのため、第２取付バー１６は、外殻２０の長手方向に交差する断面において、第１取付バー１５よりも屋根２４の頂部の直下に近い部位に配置される。なお、第２取付バー１６は、第１ビーム１３に固定することが可能であり、第１ビーム１３と第２ビーム１４とに跨がるように固定することも可能である。
【００２７】
第１カーテン１１の第１可動端部１１２には第１可動バー１７が結合され、第２カーテン１２の第２可動端部１２２には第２可動バー１８が結合される。第１可動バー１７は、第１ビーム１３の上で移動し、第２可動バー１８は第２ビーム１４の上で移動する。したがって、第１可動バー１７が移動すると、第１可動端部１１２と第１固定端部１１１との距離が変化し、第２可動バー１８が移動すると、第２可動端部１２２と第２固定端部１２１との距離が変化する。
【００２８】
図２に示す構成例では、第１可動バー１７は、回転可能であり、第１カーテン１１を巻き取る向きの回転と、第１カーテン１１を巻き解く向きの回転とが選択される。同様に、第２可動バー１８は、回転可能であり、第２カーテン１２を巻き取る向きの回転と、第２カーテン１２を巻き解く向きの回転とが選択される。ここに、「巻き解く」は、「繰り出す」と言い換えてもよい。
【００２９】
第１可動バー１７が第１カーテン１１を巻き取る向きに回転すると、第１可動バー１７が第１カーテン１１を巻き取るに従って第１可動バー１７が第１取付バー１５に近づく向きに移動する。すなわち、第１カーテン１１の第１可動端部１１２が、第１取付バー１５に近い部位に第１カーテン１１をまとめた収束状態に向かって移動する。また、第２可動バー１８が第２カーテンを巻き取る向きに回転すると、第２可動バー１８が第２カーテン１２を巻き取るに従って第２可動バー１８が第２取付バー１６に近づく向きに移動する。すなわち、第２カーテン１２の第２可動端部１２２が、第２取付バー１６に近い部位に第２カーテン１２をまとめた収束状態に向かって移動する。
【００３０】
一方、第１可動バー１７が第１カーテン１１を巻き解く向きに回転すると、第１可動バー１７が第１カーテン１１を巻き解くに従って第１可動バー１７が第１取付バー１５から離れる向きに移動する。すなわち、第１カーテン１１の第１可動端部１１２が、外殻２０の長手方向に交差する断面における中央部と第１の周部との間で第１カーテン１１を広げた展開状態に向かって移動する。同様に、第２可動バー１８が第２カーテンを巻き解く向きに回転すると、第２可動バー１８が第２カーテン１２を巻き解くに従って第２可動バー１８が第２取付バー１６から離れる向きに移動する。すなわち、第２カーテン１２の第２可動端部１２２が、外殻２０の長手方向に交差する断面における中央部と第２の周部との間に第２カーテン１２を広げた展開状態に向かって移動する。図２において実線で示す第１カーテン１１および第２カーテン１２は収束状態を表しており、破線で示す第１カーテン１１および第２カーテン１２は、収束状態と展開状態との中間の状態を表す。
【００３１】
第１カーテン１１は複数の第１ビーム１３に跨がって配置されているから、複数の第１ビーム１３の上に支えられた状態で第１可動バー１７が移動する。また、第２カーテン１２は複数の第２ビーム１４に跨がって配置されているから、複数の第２ビーム１４に支えられた状態で第２可動バー１８が移動する。第１カーテン１１および第２カーテン１２のそれぞれは、外殻２０の長手方向に交差する断面における中央部と周部との間を覆う面積を変化させる。第１カーテン１１と第２カーテン１２とのそれぞれについて、覆う面積が最大である状態が展開状態であり、覆う面積が最小である状態が収束状態である。すなわち、第１カーテン１１および第２カーテン１２は、展開状態と収束状態との間で開閉可能である。
【００３２】
ところで、上述したように、外殻２０の長手方向に交差する断面において、第１取付バー１５は第２取付バー１６の左側に位置しており、第２取付バー１６は屋根２４の頂部の直下付近に位置している。そのため、第１カーテン１１における第１固定端部１１１の近傍と、第２カーテン１２における第２固定端部１２１の近傍とは、外殻２０の長手方向に交差する断面において上下に重なる。
【００３３】
カーテンシステム１０は以下の関係を満足するように構成されている。すなわち、カーテンシステム１０は、第１カーテン１１が収束状態で屋根２４の頂部の直下と第１取付バー１５との範囲に収まり、かつ第２カーテン１２が収束状態で第１取付バー１５の直下と屋根２４の頂部の直下との範囲に収まるように構成されている。
【００３４】
カーテンシステム１０が上述のように構成されているから、第１カーテン１１と第２カーテン１２とは、ともに収束状態であると、外殻２０の長手方向に交差する断面において上下方向に並ぶ。第１カーテン１１と第２カーテン１２とがともに収束状態であると、第１カーテン１１を上下方向に投影した投影面内に第２カーテン１２が含まれる場合と、第２カーテン１２を上下方向に投影した投影面内に第１カーテン１１が含まれる場合とがある。なお、収束状態である第１カーテン１１と収束状態である第２カーテン１２とのそれぞれを上下方向に投影した範囲が一致することが望ましい。
【００３５】
第１カーテン１１と第２カーテン１２とがともに収束状態のときに第１カーテン１１と第２カーテン１２とが占める左右方向の寸法は、第１カーテン１１と第２カーテン１２とが左右に並ぶ場合より、図２に示す構成例のように上下に並ぶ場合のほうが小さい。そのため、第１カーテン１１および第２カーテン１２が太陽光を遮ることにより形成される影の面積は、第１カーテン１１および第２カーテン１２が横に並ぶ構成よりも、図２に示す構成例のほうが小さい。言い換えると、第１カーテン１１および第２カーテン１２が収束状態であるときには、第１カーテン１１および第２カーテン１２が横に並ぶ構成よりも、図２に示す構成例のように縦方向に並ぶほうが、圃場３１での太陽光の利用率が高まる。
【００３６】
ところで、第１可動バー１７および第２可動バー１８は数十メートルに及ぶことがあるから、第１可動バー１７および第２可動バー１８への回転力は、人力ではなく動力源から与えることが望ましい。そのため、カーテンシステム１０は、第１可動バー１７に回転力を与える第１駆動装置４０１と、第２可動バー１８に回転力を与える第２駆動装置４０２とを備える。第１駆動装置４０１と第２駆動装置４０２とは同様の構成であるから、以下では図４を参照し、第１駆動装置４０１についてのみ説明する。
【００３７】
第１駆動装置４０１は、動力源であるモータ４１と、モータ４１よりトルクを高める減速機４２とを備え、第１可動バー１７が減速機４２の出力軸４２１に結合されている。モータ４１および減速機４２は、ハウジング４３に収納されている。また、第１駆動装置４０１は、ハウジング４３に結合されたホルダ４４を備えている。減速機４２の出力軸４２１には、第１可動バー１７が結合されている。
【００３８】
ホルダ４４は、減速機４２の出力軸４２１の両側に並ぶ２個のローラ４５と、２個のローラ４５それぞれに向かい合うように配置された２個のローラ４６とを保持している。２個のローラ４５は出力軸４２１に対して互いに反対側に配置され、２個のローラ４５の回転中心は、出力軸４２１の回転中心とがほぼ一直線上に並んでいる。また、２個のローラ４５の回転中心と２個のローラ４６の回転中心とは、台形の各頂点に相当する位置に配置されている。この台形は、２個のローラ４５の回転中心を結ぶ直線を下底とし、２個のローラ４６の回転中心を結ぶ直線を上底とする等脚台形とみなすことができる。
【００３９】
第１駆動装置４０１は、外殻２０に架設されたレール４７を備え、レール４７は、２個のローラ４５と２個のローラ４６との間に挟まれている。この構成により、ローラ４５、４６は、レール４７に沿って走行可能になる。レール４７は、金属製のパイプであり、第１ビーム１３とほぼ平行に配置されている。つまり、左右方向において、レール４７は、屋根２４の頂部付近から右側壁２３１に向かって下り傾斜するように配置されている。また、２個のローラ４５のそれぞれはレール４７の一部が嵌まる溝４５１を周面に備え、２個のローラ４６のそれぞれはレール４７の一部が嵌まる溝４６１を周面に備えており、レール４７からの脱落が防止されている。
【００４０】
図５に示すように、第１駆動装置４０１のレール４７は、一端部がフレーム２１に連結され、他端部が外殻２０に設けられたガイドフレーム４８に取り付けられる。また、第２駆動装置４０２のレール４７は、一端部が第１駆動装置４０１のレール４７に連結され、他端部が外殻２０に設けられたガイドフレーム４８に取り付けられる。レール４７を、フレーム２１あるいは第２駆動装置４０２のレール４７に結合する部分には、上述したジョイント１９が設けられる。
【００４１】
上述した構成によって、第１カーテン１１を第１可動バー１７に巻き取る向きにモータ４１が回転すると、第１可動バー１７が第１カーテン１１を巻き取るにつれて、第１可動バー１７が第１取付バー１５に近づく向きに移動し、第１カーテン１１が収束状態に近づく。すなわち、モータ４１が回転すると、ローラ４５、４６は、レール４７に沿って屋根２４の頂部付近に向かって移動する。
【００４２】
一方、第１カーテン１１を第１可動バー１７から巻き解く向きにモータ４１が回転すると、第１可動バー１７が第１カーテン１１を巻き解くにつれて、第１可動バー１７が第１取付バー１５から離れる向きに移動し、第１カーテン１１が展開状態に近づく。すなわち、モータ４１が回転すると、ローラ４５、４６は、レール４７に沿って屋根２４の頂部から離れるように移動する。第１カーテン１１が収束状態に向かうか、第１カーテン１１が展開状態に向かうかにかかわらず、第１可動バー１７、モータ４１、減速機４２などの荷重によって第１カーテン１１に張力が作用する。したがって、第１カーテン１１は張った状態に保たれる。
【００４３】
ところで、第１駆動装置４０１は、第１可動バー１７の一端側にのみ設けられており、第１可動バー１７のこの一端は、ローラ４５、４６およびレール４７によって移動方向が制限されている。一方、第１可動バー１７の他端側には、第１可動バー１７の移動方向を制限する構成は設けられていない。したがって、第１可動バー１７が第１カーテン１１を巻き取るときに、第１可動バー１７において第１駆動装置４０１を設けている一端部に対して他端部が振れる可能性がある。
【００４４】
また、第１可動バー１７の一端部には第１駆動装置４０１から比較的大きい荷重が作用するのに対して、第１可動バー１７の他端部には自重しか作用しないから、第１カーテン１１に作用する張力が第１可動バー１７の一端部と他端部とでは異なる。そのため、第１カーテン１１を第１可動バー１７に巻き取る際に、第１可動バー１７の一端部と他端部とでは、巻密度に差が生じる可能性がある。巻密度は、第１カーテン１１の体積当たりの質量であって、第１可動バー１７に巻き付いた第１カーテン１１の層間の密着の程度が大きいほど（つまり、弛みが少ないほど）巻密度が大きくなる。
【００４５】
上述したような原因によって、第１可動バー１７において、第１駆動装置４０１を設けた一端部と、第１駆動装置４０１を設けていない他端部とで、第１カーテン１１を巻き取る量に差が生じる可能性がある。その結果、第１カーテン１１が第１可動バー１７に対して偏って巻き付けられる可能性が生じる。
【００４６】
第１可動バー１７に第１カーテン１１を偏らずに巻き付けるには、第１可動バー１７の振れの抑制、および第１カーテン１１に作用する張力の偏りの抑制が必要である。そのため、第１可動バー１７において第１駆動装置４０１が設けられている一端部とは反対側の他端部に、質量が比較的大きい錘を付加することが考えられる。錘は、第１可動バー１７の中に充填すればよい。また、錘のほかにも、ばね、紐状部材などを用いると、第１可動バー１７の振れを抑制し、第１カーテン１１の巻密度の偏りを抑制することが可能と考えられる。しかしながら、これらの技術を用いたとしても、第１可動バー１７の振れを完全に防止し、第１カーテン１１の巻密度を完全に均一化できるわけではない。
【００４７】
第１カーテン１１が第１可動バー１７に対して偏って巻き付けられると、減速機４２の出力軸４２１に作用する負荷が増加し、最終的には第１可動バー１７に第１カーテン１１を巻き取ることができなくなり、モータ４１が過負荷状態に陥る可能性がある。つまり、第１カーテン１１を収束状態に移行させることができない上に、モータ４１が過負荷によって故障に至る可能性がある。
【００４８】
このような事象が生じないように、第１駆動装置４０１のレール４７の一端部および第２駆動装置４０２のレール４７の一端部は、それぞれ外殻２０の長手方向に沿って配置されたガイドフレーム４８に取り付けられる。図５に示すように、レール４７の一端部は、ガイドフレーム４８に対して移動可能となるようにスライダ４７１を備える。すなわち、レール４７の下端部に筒状のスライダ４７１が設けられ、スライダ４７１にガイドフレーム４８が通される。なお、スライダ４７１は、レール４７とは別部材で構成され、レール４７の下端部に差し込まれた状態で、レール４７に結合されている。
【００４９】
スライダ４７１はガイドフレーム４８に沿って移動可能となるように、スライダ４７１の内寸とガイドフレーム４８の外寸とが定められている。また、レール４７の上端部は、外殻２０を構成するフレーム２１に対して、レール４７の下端部がガイドフレーム４８の延長方向に移動できる状態で連結されている。すなわち、レール４７の上端部は、たとえば上述したジョイント１９を用いて、フレーム２１に対して角度変化を許容するように連結されている。
【００５０】
上述した構成によって、第１可動バー１７に第１カーテン１１が偏って巻き付けられたとしても、レール４７がガイドフレーム４８に沿って移動することにより、レール４７と第１可動バー１７との角度をほぼ一定に保つことができる。すなわち、減速機４２の出力軸４２１に作用する負荷の増加が抑制され、モータ４１が過負荷状態に陥る可能性が低減される。言い換えると、第１可動バー１７に第１カーテン１１が巻き取られる過程で、モータ４１が停止する可能性が低減され、第１カーテン１１の第１可動端部１１２を、ユーザが望む位置まで移動させることが可能になる。
【００５１】
ここまでは第１駆動装置４０１について説明したが、第２駆動装置４０２も同様に構成されている。したがって、第２駆動装置４０２については、第１駆動装置４０１に関する記載を、以下のように読み替える。すなわち、第１カーテン１１は第２カーテン１２、第１ビーム１３は第２ビーム１４、第１可動バー１７は第２可動バー１８、第１可動端部１１２は第２可動端部１２２とそれぞれ読み替えればよい。
【００５２】
以上説明したように、第１カーテン１１と第２カーテン１２との両方が収納状態であるときに、外殻２０の長手方向に交差する断面において第１カーテン１１と第２カーテン１２とが上下に並ぶから、太陽光の利用率を高めることが可能である。なお、第１駆動装置４０１のモータ４１と第２駆動装置４０２のモータ４１とは個別に動作させることが可能であり、第１カーテン１１と第２カーテン１２とは連動させる必要はない。
【００５３】
また、第１駆動装置４０１は、第１カーテン１１の収束状態では、第１取付バー１５と第１可動バー１７とが所定の距離だけ離れている状態でモータ４１を停止させることが望ましい。同様に、第２駆動装置４０２は、第２カーテン１２の収束状態では、第２取付バー１６と第２可動バー１８とが所定の距離だけ離れている状態でモータ４１を停止させることが望ましい。
【００５４】
ここでの所定の距離は、たとえば２０ｃｍ以上５０ｃｍ以下である。つまり、第１カーテン１１の収束状態で、第１カーテン１１が第１ビーム１３とフレーム２１との間に挟まらず、また第２カーテン１２の収束状態で、第２カーテン１２が第１ビーム１３と第２ビーム１４との間に挟まらない程度の余裕が付与されている。そして、第１カーテン１１および第２カーテン１２がともに収束状態であるときに、第１カーテン１１と第２カーテン１２とが、上下に並び、かつ外殻２０の長手方向に交差する方向（つまり、左右方向）において同程度の範囲を占有するようにモータ４１が制御される。
【００５５】
図６に示すように、第１駆動装置４０１および第２駆動装置４０２は、モータ４１の運転および停止と、モータ４１の回転方向とを指示する操作装置４９に接続される。操作装置４９は、モータ４１に対する指示を行うスイッチを備える。ユーザは、スイッチを操作することにより、第１カーテン１１および第２カーテン１２を広げる量を調節し、圃場３１に照射する日射を調節することができる。なお、第１カーテン１１の収束状態および第２カーテン１２の収束状態において第１可動バー１７および第２可動バー１８の移動を自動的に停止させることが望ましい。そのため、減速機４２から第１可動バー１７および第２可動バー１８への回転力の伝達を機械的に停止させるクラッチ、あるいは位置検出を行って電気的にモータ４１を停止させる開閉器などが付加されていてもよい。クラッチを用いる場合は、停止させる位置でクラッチレバーが操作されるように構成し、開閉器を用いる場合はリミットスイッチなどで位置検出を行えばよい。
【００５６】
ところで、第１カーテン１１と第２カーテン１２との少なくとも一方には、図７に示すように、保温シート２６が重ねられていてもよい。たとえば、第１カーテン１１および第２カーテン１２のそれぞれに保温シート２６が一体に重ねられる。保温シート２６は、第１カーテン１１の展開状態において第１カーテン１１の上面に重ねられ、第２カーテン１２の展開状態において第２カーテン１２の上面に重ねられる。言い換えると、保温シート２６は、第１カーテン１１の展開状態において第１カーテン１１と被覆体２２との間に位置し、第２カーテン１２の展開状態において第２カーテン１２と被覆体２２との間に位置する。保温シート２６は、圃場３１側の空間から外側への熱流を抑制する機能を有していることが望ましい。
【００５７】
また、保温シート２６は、第１カーテン１１および第２カーテン１２とは独立した部材であってもよい。この構成では、第１カーテン１１および第２カーテン１２と同様に、外殻２０の長手方向に交差する断面における中央部と周部との間を覆う面積を変化させることが可能である。したがって、冬季の夜間などに外殻２０の内部温度が低下する可能性がある場合には、保温シート２６で覆う面積を大きくし、植物の周囲温度の低下を抑制することが可能である。また、日射が得られる日中に保温が不要であれば、保温シート２６で覆う面積を小さくすればよい。
【００５８】
上述のように構成したカーテンシステム１０は、外殻２０の内部に配置された第１ビーム１３および第２ビーム１４を備えており、第１カーテン１１は第１ビーム１３の上を移動し、第２カーテン１２は第２ビーム１４の上を移動する。したがって、第１ビーム１３および第２ビーム１４の下側はとくに利用されていない。そのため、第１ビーム１３と第２ビーム１４との少なくとも一方が、農業用ハウス３０の付属設備を取り付けるために用いられてもよい。
【００５９】
たとえば、図８に示すように、圃場３１で栽培する植物にミストを噴霧するためのノズル５１に水を供給するための配管５２が、第１ビーム１３と第２ビーム１４との少なくとも一方に取り付けられていてもよい。配管５２が、主管５２１と、複数本の分岐管５２２とで構成される場合、たとえば、主管５２１がフレーム２１に取り付けられ、複数本の分岐管５２２それぞれが第１ビーム１３と第２ビーム１４との少なくとも一方に取り付けられる。主管５２１は、隣り合うフレーム２１の間を渡るように配置されていてもよい。この構成では、分岐管５２２は、主管５２１から分岐し、ノズル５１に水を供給する。ミストは、気化熱を奪うことにより、植物および植物の周囲温度を下げるために用いられる。また、ミストは、薬剤の噴霧に用いる場合もある。
【００６０】
付属設備はミストを噴霧する装置に限らない。付属設備は、たとえば、散水装置、送風ファンなどであってもよい。散水装置は、ミストを噴霧する装置と同様の構成であるが、ノズルは省略可能である。また、送風ファンのような付属設備は、第１ビーム１３と第２ビーム１４との少なくとも一方から吊り下げられるように構成されていればよい。この種の付属設備に設けられる電源ケーブルは、第１ビーム１３と第２ビーム１４との少なくとも一方に沿うように敷設される。
【００６１】
上述したカーテンシステム１０は、屋根２４を通る太陽光の入射量を調節する機能を有している。太陽光は外殻２０の側壁２３からも入射するから、側壁２３を通る太陽光の入射量を調節するために、外殻２０にはシート状の側カーテン２７が配置される。側カーテン２７は、右側壁２３１と左側壁２３２とにそれぞれ対応して外殻２０の内側に配置される。側カーテン２７は、第１カーテン１１または第２カーテン１２と同様の材料で形成される。
【００６２】
側カーテン２７は、上端部となる一端部が外殻２０に取り付けられ、他端部が側壁２３に沿って上下方向に移動するように構成される。側カーテン２７の一端部は、第１ビーム１３または第２ビーム１４に取り付けられることが望ましい。また、側カーテン２７の一端部は、フレーム２１にも取り付けられていることが望ましい。側カーテン２７の他端部は、巻軸２７１に巻き付けられており、巻軸２７１が側カーテン２７を巻き取ると側カーテン２７の他端部が上向きに移動し、巻軸２７１が側カーテン２７を巻き解くと側カーテン２７の他端部が下向きに移動する。巻軸２７１は、手動で回転させることが可能であるが、第１カーテン１１の第１可動バー１７および第２カーテン１２の第２可動バー１８と同様に、モータを備える駆動装置を用いて回転させることが望ましい。
【００６３】
右側壁２３１に対応した側カーテン２７の上端部は、第１ビーム１３の下側で第１ビーム１３の下端部に沿うように配置されることが望ましい。また、左側壁２３２に対応した側カーテン２７の上端部は、第２ビーム１４の下側で第２ビーム１４の下端部に沿うように配置されることが望ましい。すなわち、右側壁２３１に対応して配置された側カーテン２７の上端部は、第１カーテン１１が展開状態であるときの第１可動端部１１２と上下に重なるように配置されることが望ましい。また、左側壁２３２に対応して配置された側カーテン２７の上端部は、第２カーテン１２が展開状態であるときの第２可動端部１２２と上下に重なるように配置されることが望ましい。
【００６４】
上述した構成を採用すると、第１カーテン１１と第２カーテン１２とのそれぞれの展開状態において、側カーテン２７との間に太陽光が入射する間隙が形成されず、太陽光の入射量を抑制する効果が高まる。要するに、第１カーテン１１の展開状態では第１カーテン１１と側カーテン２７との間から太陽光が漏れて入射することが抑制され、第２カーテン１２の展開状態では第２カーテン１２と側カーテン２７との間から太陽光が漏れて入射することが抑制される。
【００６５】
外殻２０の外側には、側壁２３に沿って側窓２８が設けられている。側窓２８は、シート状であって通気性を有しておらず、外殻２０の側壁２３に形成された開口に対応するように配置されている。側窓２８は、側カーテン２７と同様の構成であり、側窓２８の上端部となる一端部はフレーム２１に固定され、側窓２８の他端部は巻軸２８１に巻き付けられる。したがって、側窓２８が巻軸２８１に巻き取られると側壁２３の開口が開放され、側窓２８が巻軸２８１から巻き解かれると側壁２３の開口が閉塞される。図８に示す構成例では、１つの側壁２３に対して上下に２つの側窓２８が配置されているが、１つの側壁２３に１つの側窓２８を対応させた構成であってもよい。
【００６６】
上述した構成例では、第１カーテン１１を第１可動バー１７が巻き取り、第２カーテン１２を第２可動バー１８が巻き取る構成を採用している。そのため、第１駆動装置４０１のハウジング４３の位置は第１カーテン１１が繰り出された量で定まり、第２駆動装置４０２のハウジング４３の位置は第２カーテン１２が繰り出された量で定まる。なお、第１カーテン１１および第２カーテン１２は、山折りと谷折りとが繰り返す蛇腹状であってもよい。第１カーテン１１および第２カーテン１２が蛇腹状である場合、ローマンシェード型のカーテンと同様にワイヤを用いて展開状態と収縮状態とを実現可能である。
【００６７】
以上説明した農業用ハウス３０は、外殻２０とカーテンシステム１０を備える。外殻２０は、圃場３１を囲むように配置される。カーテンシステム１０は、圃場３１の上方に配置される第１カーテン１１および第２カーテン１２を有する。第１カーテン１１は、一方の端部である第１固定端部１１１に対して他方の端部である第１可動端部１１２が距離を変化させるように移動可能である。第２カーテン１２は、一方の端部である第２固定端部１２１に対して他方の端部である第２可動端部１２２が距離を変化させるように移動可能である。第１カーテン１１と第２カーテン１２とは、ともに展開状態であるときに、外殻２０の長手方向に交差する断面で異なる部位を覆い、ともに収束状態であるときに、外殻２０の長手方向に交差する断面で上下に並ぶように配置される。
【００６８】
また、農業用ハウス３０のカーテンシステム１０は、圃場３１を囲むように配置される農業用ハウス３０の外殻２０に取り付けられる。カーテンシステム１０は、第１カーテン１１および第２カーテン１２を有する。第１カーテン１１は、一方の端部である第１固定端部１１１に対して他方の端部である第１可動端部１１２が距離を変化させるように移動可能である。第２カーテン１２は、一方の端部である第２固定端部１２１に対して他方の端部である第２可動端部１２２が距離を変化させるように移動可能である。第１カーテン１１と第２カーテン１２とは、ともに展開状態であるときに、前記外殻の長手方向に交差する断面で異なる部位を覆い、ともに収束状態であるときに、前記外殻の長手方向に交差する断面で上下に並ぶように配置される。
【００６９】
この構成によれば、第１カーテン１１と第２カーテン１２とをともに開けた収束状態において、第１カーテン１１と第２カーテン１２とが上下に並ぶから、収束状態において太陽光を遮る面積の低減が可能になるという利点を有する。すなわち、収束状態であるときに第１カーテン１１と第２カーテン１２とが横に並ぶ構成よりも、太陽光を遮る面積を低減させることが可能であり、結果的に、太陽光の利用率が高まる。
【００７０】
農業用ハウス３０は、第１ビーム１３と第２ビーム１４とを備えることが望ましい。第１ビーム１３は、外殻２０の長手方向に交差する断面において外殻２０の一方の側壁に向かって下り傾斜するように外殻２０を構成するフレーム２１の２箇所間に架設されている。第２ビーム１４は、外殻２０の長手方向に交差する断面において外殻２０の他方の側壁に向かって下り傾斜するように第１ビーム１３とフレーム２１との間に架設されている。第１カーテン１１における第１可動端部１１２は第１ビーム１３に沿って移動可能である。第２カーテン１２における第２可動端部１２２は第２ビーム１４に沿って移動可能である。
【００７１】
この構成によれば、第１カーテン１１の第１可動端部１１２が第１ビーム１３に沿って移動することにより第１カーテン１１が開閉され、第２カーテン１２の第２可動端部１２２が第２ビーム１４に沿って移動することにより第２カーテン１２が開閉される。また、第１ビーム１３がフレーム２１に架設され、第２ビーム１４がフレーム２１と第１ビーム１３との間に架設されるから、第１カーテン１１と第２カーテン１２とを収束状態において上下に並べることが可能である。
【００７２】
農業用ハウス３０は、第１可動バー１７と第２可動バー１８と第１駆動装置４０１と第２駆動装置４０２とを備えることが望ましい。第１可動バー１７は、第１カーテン１１の第１可動端部１１２に取り付けられている。第２可動バー１８は、第２カーテン１２の第２可動端部１２２に取り付けられている。第１駆動装置４０１は、第１可動バー１７を第１ビーム１３に沿って移動させるように第１可動バー１７と結合されている。第２駆動装置４０２は、第２可動バー１８を第２ビーム１４に沿って移動させるように第２可動バー１８と結合されている。
【００７３】
この構成によれば、第１カーテン１１に取り付けた第１可動バー１７を第１駆動装置４０１で移動させることにより第１カーテン１１が開閉する。また、第２カーテン１２に取り付けた第２可動バー１８を第２駆動装置４０２で移動させることにより第２カーテン１２が開閉する。すなわち、第１カーテン１１と第２カーテン１２とを独立して開閉させることができる。
【００７４】
この農業用ハウス３０において、第１可動バー１７および第２可動バー１８のそれぞれは回転可能である。第１可動バー１７は、第１カーテン１１を巻き取る向きに回転することにより第１固定端部１１１に近づく向きに移動する状態と、第１カーテン１１を巻き解く向きに回転することにより第１固定端部１１１から離れる向きに移動する状態とが選択される。第２可動バー１８は、第２カーテン１２を巻き取る向きに回転することにより第２固定端部１２１に近づく向きに移動する状態と、第２カーテン１２を巻き解く向きに回転することにより第２固定端部１２１から離れる向きに移動する状態とが選択される。
【００７５】
この構成によれば、第１可動バー１７による第１カーテン１１の巻取量が変化することにより、第１カーテン１１が太陽光を遮る面積が変化する。また、第２可動バー１８による第２カーテン１２の巻取量が変化することにより、第２カーテン１２が太陽光を遮る面積が変化する。
【００７６】
第１駆動装置４０１および第２駆動装置４０２のそれぞれは、レール４７とローラ４５およびローラ４６とモータ４１とを備えることが望ましい。レール４７は、外殻２０に架設されている。ローラ４５およびローラ４６は、レール４７に沿って走行する。モータ４１は動力源である。第１駆動装置４０１が備えるモータ４１は第１カーテン１１を展開状態と収束状態との間で開閉させ、第２駆動装置４０２が備えるモータ４１は第２カーテン１２を展開状態と収束状態との間で開閉させる。
【００７７】
この構成によれば、モータ４１を動力源に用いて人力によらずに第１カーテン１１および第２カーテン１２の開閉が可能である。
【００７８】
第１駆動装置４０１および第２駆動装置４０２のそれぞれは、レール４７とローラ４５およびローラ４６とモータ４１とを備えることが望ましい。レール４７は、外殻２０に架設されている。ローラ４５およびローラ４６は、レール４７に沿って走行する。モータ４１は動力源である。第１駆動装置４０１は、モータ４１の回転力を伝達するように第１可動バー１７に結合され、かつ下向き成分を含む荷重が第１可動バー１７から第１カーテン１１に作用するようにレール４７が配置されている。第２駆動装置４０２は、モータ４１の回転力を伝達するように第２可動バー１８に結合され、かつ下向き成分を含む荷重が第２可動バー１８から第２カーテン１２に作用するようにレール４７が配置されている。
【００７９】
この構成によれば、第１駆動装置４０１のモータ４１が回転することにより第１可動バー１７への第１カーテン１１の巻取量が変化し、第２駆動装置４０２のモータ４１が回転することにより第２可動バー１８への第２カーテン１２の巻取量が変化する。加えて、第１駆動装置４０１のレール４７は第１可動バー１７から第１カーテン１１に荷重が作用するように配置されているから、第１カーテン１１に張力が作用し、かつモータ４１の回転に伴って第１可動バー１７が移動する。また、第２駆動装置４０２のレール４７が第２可動バー１８から第２カーテン１２に荷重が作用するように配置されているから、第２カーテン１２に張力が作用し、かつモータ４１の回転に伴って第２可動バー１８が移動する。
【００８０】
この農業用ハウス３０において、外殻２０は、長手方向に沿って配置されたガイドフレーム４８を備える。レール４７の一方の端部は、ガイドフレーム４８に対して長手方向に移動可能となるように、ガイドフレーム４８に取り付けられるスライダ４７１を備える。
【００８１】
この構成によれば、第１カーテン１１が第１可動バー１７に偏って巻き取られたとしても、スライダ４７１がガイドフレーム４８に沿って移動することにより、第１可動バー１７の長手方向の力を逃がすことができる。その結果、第１駆動装置４０１のモータ４１を停止させることなく、第１カーテン１１を第１可動バー１７に巻き取ることができる。同様にして、第２カーテン１２が第２可動バー１８に偏って巻き取られたとしても、スライダ４７１がガイドフレーム４８に沿って移動することにより、第２可動バー１８の長手方向の力を逃がすことができる。その結果、第１駆動装置４０１のモータ４１を停止させることなく、第２カーテン１２を第２可動バー１８に巻き取ることができる。
【００８２】
農業用ハウス３０は、外殻２０における第１の周部および第２の周部にそれぞれ配置された側カーテン２７を備えることが望ましい。側カーテン２７は、上端部である固定端部が外殻２０の定位置に留まり、下端部である可動端部が上下に移動可能である。
【００８３】
この構成によれば、側カーテン２７により外殻２０の側面からの太陽光の入射量を調節することができる。
【００８４】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００８５】
１０  カーテンシステム
２０  外殻
３０  農業用ハウス
３１  圃場
１１  第１カーテン
１２  第２カーテン
１３  第１ビーム
１４  第２ビーム
１７  第１可動バー
１８  第２可動バー
２１  フレーム
２７  側カーテン
４１  モータ
４５  ローラ
４６  ローラ
４７  レール
４８  ガイドフレーム
１１１  第１固定端部
１１２  第１可動端部
１２１  第２固定端部
１２２  第２可動端部
４０１  第１駆動装置
４０２  第２駆動装置
４７１  スライダ
【図１】
2017221119.tif 000003
【図２】
2017221119.tif 000004
【図３】
2017221119.tif 000005
【図４】
2017221119.tif 000006
【図５】
2017221119.tif 000007
【図６】
2017221119.tif 000008
【図７】
2017221119.tif 000009
【図８】
2017221119.tif 000010